(57)【特許請求の範囲】
【請求項１】
魚釣りに用いるルアーであって、
金属製のルアー本体と、
前記ルアー本体の側面に設けられ、前記ルアー本体を貫通する貫通孔を形成可能な場所を示す加工部と、
長手方向にかけて前記ルアー本体内を貫通し、前記加工部を形成するスペースを占有しないように配置されているワイヤと
を備えたルアー。
【請求項２】
前記加工部は凹状の窪み部である、請求項１に記載のルアー。
【請求項３】
前記加工部は、前記ルアー本体の両側面に設けられている、請求項２に記載のルアー。
【請求項４】
前記ワイヤは前記ルアー本体の長手方向両端部において前記ルアー本体より突出するように配置され、
前記突出した両端部が、それぞれ釣糸係止部及び釣針係止部である、請求項１〜３のいずれかに記載のルアー。
【発明の詳細な説明】
【０００１】
【発明の属する技術分野】
本発明は、メタルジグと呼ばれる金属製本体を有するルアーに関する。
【０００２】
【従来の技術】
従来のメタルジグは、例えば、外形を魚に似せた金属製のルアー本体と、金属製のルアー本体内を長さ方向に貫通するワイヤと、ルアー本体頭部にワイヤと共に設けられライン（釣糸）を結束するための釣糸係止部と、ルアー本体の尾部にワイヤと共に設けられた釣針を係止するための釣針係止部とを有している。
【０００３】
この従来のメタルジグでは、ワイヤがルアー本体自体の耐久性及び釣糸係止部，釣針係止部の耐久性を向上させている。そして、金属製のルアー本体自体が錘として作用し、キャスティング後に水深の深い箇所まで沈降する。水底に至った後にロッド（釣竿）を振り上げるようにして（一般に「しゃくる」といわれる動作である）、メタルジグにジャーキングのアクションをつけて魚に強くアピールする。
【０００４】
【発明が解決しようとする課題】
メタルジグに反応して興味を示した魚はこのメタルジグを飲み込みまたは噛みつこうとする。ここで、比較的大きな魚はメタルジグを丸飲みしようとするので、メタルジグの尾部に設けられたフックによって十分に針係して釣り上げることが可能である。しかし、比較的小さな魚はメタルジグを丸飲みできない場合がある。
【０００５】
このような小さな魚が攻撃対象魚の頭部や側部に噛みついてくる場合、メタルジグの尾部にのみフックを設けておくと、魚が十分に針係せず、魚をうまく釣り上げられない場合もある。
【０００６】
本発明の課題は、魚の針への引っかかりがよく容易に魚を釣り上げられるメタルジグを提供することにある。
【０００７】
【課題を解決するための手段】
発明１に係るルアーは、魚釣りに用いるルアーであって、金属製のルアー本体と、前記ルアー本体の側面に設けられた凹状の窪み部である加工部と、長手方向にかけて前記ルアー本体内を貫通し、前記加工部を形成するスペースを占有しないように配置されているワイヤと、を備えている。
【０００８】
このルアーでは、必要に応じて、ユーザが簡易ドリル等を用いて加工部よりルアー本体を幅方向に突き破って貫通孔を形成する。そして、この貫通孔に釣針を係止する。このように、ルアー本体の側面に釣針を係止することで側面方向から攻撃した魚の針係性を向上させる。一方で、不要であればユーザは貫通孔を形成することなくそのままルアーを用いることもできる。
【０００９】
また、このルアー本体には長さ方向にワイヤが貫通しており、このワイヤがルアー本体の強度を向上させているが、このワイヤは加工部におけるユーザの貫通孔形成を妨げない。
【００１０】
発明２に係るルアーは、発明１のルアーであって、前記加工部は凹状の窪み部である。
【００１１】
この場合には、ルアー本体側面に凹状の窪み部が形成されており、ユーザはこれを目印として必要に応じて貫通孔を形成する。なお、加工部たるこの窪み部はルアー本体の両側面のそれぞれ対応する位置に形成してもよい。このように両側面の一対の窪み部を形成すれば部分的に肉薄部分が形成され、ユーザの貫通孔の形成が容易になる。
【００１２】
発明３に係るルアーは、発明２のルアーであって、前記加工部は前記ルアー本体の両側面に設けられている。
【００１３】
発明４に係るルアーは、魚釣りに用いるルアーであって、幅方向に貫通する貫通孔を有する金属製のルアー本体と、長手方向にかけてルアー本体内を貫通し貫通孔付近を塞がないように配置されているワイヤと、前記貫通孔に係止された釣針とを備えている。
【００１４】
このルアーでは、貫通孔に釣針を係止して釣りを行う。ルアー本体の側面に釣針を係止することで側面方向から攻撃した魚の針係性を向上させる。また、このルアー本体には長さ方向にワイヤが貫通しており、このワイヤがルアー本体の強度を向上させているが、このワイヤが貫通孔をふさいでしまうことはない。
【００１５】
発明５に係るルアーは、発明１〜４のいずれかのルアーであって、ワイヤはルアー本体の長手方向両端部においてルアー本体より突出するように配置され、突出した両端部が、それぞれ釣糸係止部及び釣針係止部である。
【００１６】
【発明の実施の形態】
［第１実施形態］
以下、本発明の第１実施形態について図面を参照しつつ説明する。
【００１７】
本発明の第１実施形態を採用したルアーは、図１及び図２に示すように、魚の体型に模して形成された流線型の金属製ルアー本体１と、ルアー本体１内部に長手方向に伸びて配置された金属製ワイヤ２とを有している。
【００１８】
ルアー本体１は、鉛やタングステンまたはこれらの合金等からなる金属製の部材である。その表面には様々な模様や塗装が施される。そして、長手方向中央よりやや前方の側面には幅方向に貫通する貫通孔１０が２カ所に形成されている。
【００１９】
ワイヤ２は、複数の金属製素線を寄り合わせたものであり、ルアー本体１の中心を長手方向にかけてほぼ直線状に配置される。その長手方向両端はルアー本体１から外部へ突出して折り返されている。この突出した両端がそれぞれ釣糸係止部３，釣針係止部４となっており、釣糸係止部３には釣糸Ｌが、釣針係止部４にはスプリットリング５を介して釣針６が連結される。このようにワイヤ２はルアー本体１に折り返され再び挿入された後、ルアー本体１の長手方向に延びその両端部２ａ，２ｂが略直角に折り曲げられている。
【００２０】
また、ワイヤ２は貫通孔１０付近においてルアー本体１の上下方向（図１の上下方向）に広がって菱形状に配置され、貫通孔１０を形成するスペースをワイヤが占有しないようになっている。この貫通孔１０は、おおよそ１〜２mm程度の径を有する孔である。図３に詳しく示すように、貫通孔１０の両入口（ルアー本体１の側表面付近）の径はやや大きくなっており略窪み状部１０ａを形成している。この貫通孔１０には、先端に釣針７，８を連結した釣糸Ｌが挿通され、他端に結び目を形成することで係止固定されている。この釣糸Ｌの結び目は略窪み状部１０ａに収納されることになる。
【００２１】
このルアーは、所定の金型内にワイヤ２を部分的に菱形に広げた状態で配置し、金型内に流動化させた鉛等の金属を流し込み固化させて製造される。
【００２２】
このように構成されたルアーでは、貫通孔１０に釣針７，８を係止してルアー本体１の側面に配置することで側面方向から攻撃した魚の針係性を向上させることができる。即ち、魚がルアーを後方から攻撃または飲み込もうとした場合でも、小型魚がルアーを側面方向から攻撃した場合でも、釣針６，７，８により同様に針係性を維持できる。そして、不要な場合には釣針７，８を係止することなく釣りを行うことも可能である。
【００２３】
また、このルアー本体１には長さ方向にワイヤ２が貫通しており、このワイヤ２がルアー本体１の強度を向上させているが、このワイヤ２は貫通孔１０付近で部分的に上下方向広がっているので、ワイヤ１が貫通孔１０を塞いでしまうことはない。
【００２４】
［第２実施形態］
以下、本発明の第２実施形態について図面を参照しつつ説明する。
【００２５】
本発明の第２実施形態を採用したルアーは、図４及び図５に示すように、魚の体型に模して形成された流線型の金属製ルアー本体１１と、ルアー本体１１内部に長手方向に伸びて配置された金属製ワイヤ１２とを有している。
【００２６】
ルアー本体１１は、第１実施形態と同様に、鉛やタングステンまたはこれらの合金等からなる金属製の部材である。そして、長手方向中央よりやや前方の幅方向両側面には他の部分より凹入した菱形の窪み部２０（加工部）がそれぞれ形成されている。図３に詳しく示すように、この窪み部２０付近のルアー本体１１は両側面から約１〜３ｍｍ程度凹入している。
【００２７】
ワイヤ１２も、第１実施形態と同様に、複数の金属製素線からなる両端が連結された環状の部材であって、長手方向にかけてほぼ直線状に配置される。そして、その長手方向両端はルアー本体１１のから外部へ突出して折り返されており、それぞれ釣糸係止部１３，釣針係止部１４となっている。また、ワイヤ１２は窪み部２０付近においてルアー本体１１の上下方向に広がって菱形状に配置され、窪み部２０を形成するスペースをワイヤ１２が占有しないようになっている。
【００２８】
このように構成されたルアーでは、必要に応じて、ユーザが簡易ドリル等を用いて窪み部２０よりルアー本体１１を幅方向に突き破って貫通孔を形成する。その後、第１実施形態と同様にして、先端に釣針を連結した釣糸Ｌがこの貫通孔に挿通され、他端に結び目を形成することで係止固定される。窪み部２０に形成した貫通孔に釣針を係止することで、側面方向から攻撃した魚の針係性を向上させることができる。一方で、不要であればユーザは貫通孔を形成することなくそのままルアーを用いることもできる。なお、このように貫通孔を任意に形成することで、ルアー周辺での水流を変化させることが可能であり、ルアーの水中での動きに変化を付けることも可能になる。
【００２９】
さらに、このルアー本体１１には長さ方向にワイヤ１２が貫通しており、第１実施形態と同様に、ワイヤ１２がルアー本体１１の強度を向上させるとともに、窪み部２０におけるユーザの貫通孔の形成を妨げない。
【００３０】
［他の実施形態］
（ａ）貫通孔または貫通孔を形成するための窪み部は、一カ所に限定されるものではなく、ルアー本体上に複数箇所に形成してもよい。
（ｂ）加工部として窪み部を形成しなくてもよい。ワイヤが上下方向に広がっており貫通孔を形成可能な場所に、小突起や溝等の外部からユーザが認識可能なマークを付すのみでも足りる。この場合には、ユーザは所定の工具を用いてこのマークが施された加工部に貫通孔を形成することになる。
（ｃ）加工部付近のワイヤは菱形状に貫通孔またはその形成を避けるものではなくてもよい。側面方向より見て円，楕円型等に加工部付近にワイヤを配置するものでも足りる。
【００３１】
【発明の効果】
本発明にかかるルアーでは、魚の針への引っかかりがよく容易に魚を釣り上げられる。
【図面の簡単な説明】
【図１】  本発明の第１実施形態を採用したルアーの側面図。
【図２】    本発明の第１実施形態を採用したルアーの上面図。
【図３】  図１のIII−III断面図。
【図４】  本発明の第２実施形態を採用したルアーの側面図。
【図５】  図４のV−V断面図。
【符号の説明】
１，１１  ルアー本体
２，１２  ワイヤ
１０  貫通孔
２０  窪み部（加工部）
【図１】
0004362186.tif 000002
【図２】
0004362186.tif 000003
【図３】
0004362186.tif 000004
【図４】
0004362186.tif 000005
【図５】
0004362186.tif 000006